(57)【要約】【課題】既設の家屋において、薬剤を使用せずにゴキブリを恒久的に駆除する。【解決手段】既設の家屋の内部に通じるゴキブリの侵入経路を遮断する。侵入経路が、基礎パッキン工法によって基礎２と土台６との間の複数箇所に形成される床下換気用の換気口１であり、換気口１の上側に、張り出し端１３に、内向きに折り曲げ形成された断面コ字状の折り返し部１５が形成された庇材１２が、外側壁５から張り出し形成されており、換気口１の下側に段部１６が形成されている場合には、弾性を有する最大開口径が３ｍｍ以下の網材３を使用し、その網材３の幅寸法を、折り返し部１５と段部１６との間の距離Ｄよりも大きくして、網材３を折り返し部１５と段部１６との間に撓ませた状態で設置する。【選択図】図３
2007330248.tif 000002
【特許請求の範囲】
【請求項１】
既設の家屋の内部に通じるゴキブリの侵入経路を遮断するゴキブリの駆除方法であって、
侵入経路における最大の隙間寸法を３ｍｍ以下にすることを特徴とするゴキブリの駆除方法。
【請求項２】
侵入経路が、床下換気を行うために家屋の外側壁（５）に形成される換気口（１）であって、
その換気口（１）を、最大開口径（Ｌ）が３ｍｍ以下の網材（３）で覆うことにより遮断する請求項１記載のゴキブリの駆除方法。
【請求項３】
換気口（１）が、基礎パッキン工法によって基礎（２）と土台（６）との間の複数箇所に形成される横長の間隙からなり、
換気口（１）の上側には、張り出し端（１３）に、内向きに折り曲げ形成された断面コ字状の折り返し部（１５）が形成された庇材（１２）が、外側壁（５）から張り出し形成されており、
換気口（１）の下側には、段部（１６）が形成されており、
弾性を有する網材（３）を使用し、その網材（３）の幅寸法を、折り返し部（１５）と段部（１６）との間の距離（Ｄ）よりも大きくして、網材（３）を折り返し部（１５）と段部（１６）との間に撓ませた状態で設置する請求項２記載のゴキブリの駆除方法。
【発明の詳細な説明】
【技術分野】
【０００１】  本発明は、既設の家屋を対象としたゴキブリの駆除方法に関する。
【背景技術】
【０００２】  害虫の中でも特に人に忌み嫌われるゴキブリは、雑食性で繁殖力も強く、暖かく湿ったところを好む。雑菌を運んで、疾病を媒介する可能性があるうえ、台所などの食材がある場所に出現することが多く、安全衛生の面でもその駆除は重要である。【０００３】  ゴキブリを駆除するために、屋内に生息するゴキブリを粘着テープなどを用いて捕獲したり、殺虫剤を用いて殺したりすることは、広く一般に行われている。その他にも、ゴキブリの忌避薬剤入りのマイクロカプセルを含むシート材を、建築物の床や壁の下地板と仕上げ材との間に設置する方法や（特許文献１）、ゴキブリの忌避薬剤を混入したテープ等を床面や壁面の繋ぎ目に貼り付ける方法が開示されている（特許文献２）。【０００４】
【特許文献１】特開平８−２７９１４号公報
【特許文献２】特開平８−２０５７５１号公報
【発明の開示】
【発明が解決しようとする課題】
【０００５】  しかしながら特許文献１や特許文献２のように、忌避剤や殺虫剤等の薬剤を住居に継続的に使用することは、住人にアレルギー性の障害を招くおそれがあり、好ましくない。薬剤の使用は時間の経過とともに薬効が減少して再施工が必要となる不利もある。【０００６】  本発明者は、１０年以上前からゴキブリ専門の駆除業を営んでおり、これまでに多数の駆除実績を得てきている。その長年の経験によると、ゴキブリは一度に数十個の卵を産卵し１月程度で孵化するので、繁殖し易い飲食店などでは屋内に生息するゴキブリを直接捕獲や殺虫して駆除するのが効果的である。しかし、通常の家屋では、屋内で繁殖するものよりも屋外から侵入するものが多く、実は、屋内へのゴキブリの侵入を阻止するのがゴキブリの駆除に最も効果的であることがわかってきた。【０００７】  一方、最近では、家屋の基礎と土台の間に複数のパッキンを設置して、家屋の全周囲にわたって多数の間隙を形成し、そこから床下換気を行う、いわゆる基礎パッキン工法による家屋が増加している。かかる工法による家屋では、換気機能は向上するものの、従来にもましてゴキブリが侵入し易い。その間隙も広範囲に存在して対処し難く、かかる工法による家屋のゴキブリ駆除を効率よく行える方法が要望されていた。【０００８】  すなわち、本発明の目的は、薬剤を使用せずに、既設の家屋のゴキブリを効果的に駆除できる方法を提供することにある。本発明の目的は、一度の施工だけで、既設の家屋内にゴキブリが侵入するのを恒久的に防止できる方法を提供することにある。本発明の目的は、施工の手間を省いて簡単な作業で行えるゴキブリ駆除方法を提供することにある。
【課題を解決するための手段】
【０００９】  本発明のゴキブリ駆除方法は、既設の家屋の内部に通じるゴキブリの侵入経路を遮断するゴキブリの駆除方法であり、侵入経路における最大の隙間寸法を３ｍｍ以下にすることを特徴とする。【００１０】  具体的には、侵入経路が、床下換気を行うために家屋の外側壁５に形成される換気口１であって、その換気口１を、最大開口径Ｌが３ｍｍ以下の網材３で覆うことにより遮断する。【００１１】  換気口１が、基礎パッキン工法によって基礎２と土台６との間の複数箇所に形成される横長の間隙からなり、換気口１の上側に、張り出し端１３に内向きに折り曲げ形成された断面コ字状の折り返し部１５が形成された庇材１２が外側壁５から張り出し形成されており、換気口１の下側に段部１６が形成されている場合には、弾性を有する網材３を使用し、その網材３の幅寸法を、折り返し部１５と段部１６との間の距離Ｄよりも大きくして、網材３を折り返し部１５と段部１６との間に撓ませた状態で設置する。
【発明の効果】
【００１２】  ゴキブリの侵入経路における最大の隙間寸法が、３ｍｍ以下になるようにしておくと、ゴキブリがその侵入経路から屋内に侵入するのを効果的に防止できる。薬剤も不要であり、一度の施工で長期にわたってゴキブリを駆除することができる。密封できればそれにこしたことはないが、換気口１等は密封できないため、通気性を確保するとともに、成体のゴキブリから幼体のゴキブリに至るまで確実に侵入を防ぐことができる。【００１３】  とくに、床下換気を行うために家屋の外側壁５に形成される換気口１を最大開口径Ｌが３ｍｍ以下の網材３で覆うのが、最も効果的である。網材３であれば目開きが安定しているため、最大開口径Ｌが３ｍｍとなるように確実かつ簡単に設定でき、入手も容易で簡単に施工できる。【００１４】  基礎パッキン工法で建築された家屋の場合、弾性を有する網材３を使用し、その網材３の幅寸法を、図４に示すように、段部１６と折り返し部１５との間の距離Ｄよりも大きくして、網材３を段部１６と折り返し部１５との間に撓ませた状態で設置すると、家屋の全周囲にわたって多数形成されている換気口１を、労することなく短時間で確実に遮断することができる。
【発明を実施するための最良の形態】
【００１５】  図１ないし図４に、木造家屋に本発明のゴキブリ駆除方法を適用した実施例を示す。住居用の木造家屋における主要なゴキブリの侵入経路としては、排水溝と床下の換気口１を挙げることができる。排水溝は、通常水封されているためそこからゴキブリが侵入することはないが、施工の不備などから、配管の接続部に隙間が形成されていることがあり、その場合は、粘土状の不乾性パテを用いて隙間を密封して侵入を防止すればよい。対して、床下の換気口１は、全ての家屋に設置される建築上必須の構造で、密封することはできない。地面近くに設置されているため、地面を這って家屋に近づくゴキブリが最初に接し易く、ゴキブリの侵入確率の最も高い箇所となっている。【００１６】  床下の換気口１は、従来工法では、図１に示すように、基礎２の一部に窓状の開口を設けて換気口１としている。したがって、かかる換気口１では、開口の形状に合わせて、金網などの網材３を切り取って嵌め込み、接着等して固定する。このとき、網材３は、網目の最大開口径（最大の隙間寸法）Ｌが３ｍｍ以下のものを使用する。３ｍｍ以下であれば、ゴキブリの侵入を効果的に防止できるが、開口径が小さ過ぎると、通気性が悪くなり、目詰まりを生じるおそれがあるため、最大開口径が２ｍｍ〜３ｍｍの範囲の網材３を使用するのが好ましい。【００１７】  一方、最近では、基礎パッキン工法による木造家屋が増加している。図２に示すように、基礎パッキン工法では、家屋の外側壁５を構成する基礎２と土台６との間に、所定間隔おきに複数のパッキン８が設置されており、これらパッキン８の間に横長の間隙が形成されて、複数の換気口１を形成している。【００１８】  詳しく説明すると、基礎２は、地面上に固定されたコンクリート構築物である。型枠を地面に組んで、そこに鉄筋や、土台固定用のアンカーボルトを所定位置に配置した後、コンクリートを流し込んで形成したものである。基礎２の立ち上がり幅は、建築基準などがら１２ｃｍ以上、とくには１５ｃｍに設定されていることが多い。土台６は、例えば縦横が１０ｃｍの木製角材からなり、基礎２の上に横架されている。その土台６の上に一群の柱９を立設し、これら柱９の上に梁を載せる工程を経て木造家屋が建築される。パッキン８には、様々なタイプがあるが、一般には、硬質のプラスチック樹脂や金属などで作られていて、例えば長さ２０ｃｍ、幅１０ｃｍ、厚み２ｃｍ程度の寸法からなる平面視で長方形や正方形をしており、アンカーボルト用の貫通孔を備えている。【００１９】  これらパッキン８は、基礎２の上壁面に突き出たアンカーボルトに挿通した状態で、数１０ｃｍ程度の間隔を空けた所定位置に載置されており、その上に横架された土台６がアンカーボルトに締結されることによって、基礎２と土台６とがパッキン８を介して一体に固定されている。したがって、基礎２と土台６との間には、図２に示すように、隣接するパッキン８間に横長の間隙が家屋の外側壁５の全周にわたって形成されており、これらが床下換気用の換気口１となっている。【００２０】  ところで、かかる工法の床下換気構造においては、一般に次のような構成が採られている。すなわち、土台６の上に立設された一群の柱９の外側には、外装材１０が取り付けられていて、外側壁５を構成している。外装材１０の下端部には、水切り用の庇材１２が設置されている。庇材１２は、図３及び図４に示すように、長尺の金属板製のプレス加工品からなり、換気口１の上側に位置して、換気口１を覆い隠すように、外側壁５から外方に向かって下向き傾斜状に張り出し形成されている。外側壁５から外方に張り出した庇材１２の張り出し端１３は、内向きに折り曲げ形成されていて、断面コ字状の折り返し部１５が形成されている。一方、換気口１及びパッキン８の下側の、基礎２の上壁面には、基礎２とパッキン８との幅の違いなどによって、外方に一段突出した段部１６が、外側壁５の左右端間にわたって形成されている。なお、換気口１には、防鼠構造が設置されていることも多いが、対象が違い過ぎてゴキブリには用をなしていない。【００２１】  かかる床下換気構造を有する木造家屋にあっては、従来にもまして、ゴキブリの侵入経路になり易い。つまり、家屋の外側壁５の全周囲にわたって、断続的に換気口１が形成されているうえ、庇材１２が、ゴキブリが外側壁５をつたってよじ登るのを阻止し、結果として換気口１にゴキブリを導くからである。したがって、かかる箇所からのゴキブリの侵入を防止するのが最も効果的である。【００２２】  ところが、従来の窓状の床下換気口１とは異なり、換気口１が家屋の全周にわたって形成されているため、個々の換気口１を個別に遮断していたのでは、作業負担が大きく、施工に時間を要するし、誤って隙間も生じ易い。そこで、この場合は次のように施工する。【００２３】  網材３に、例えばプラスチック製ネットや、線形の細い金網などの、弾性を有し、最大開口径が３ｍｍ以下の網材３を使用する。網材３は帯状に加工して、その幅寸法は、図４に示すように、庇材１２の折り返し部１５の最外端と、外側壁５側の段部１６の最内端との間の距離Ｄよりも大きくする。そして、網材３を折り返し部１５と段部１６との間に嵌め込み、折り返し部１５の下端部に形成される隅部と、段部１６の奥隅部とに網材３の両側端を突き当てて、庇材１２の内側に凹み撓ませた状態で設置する。このとき、網材３の凹んだ中央部分が、庇材１２の内壁面１８に押し付けられて圧着するようにする。そうすることで、弾性変形した網材３がアーチ状に３点支持されるため、嵌め込むだけで安定かつ確実に固定することができる。網材３は、複数用いて、隣接する網材３の長さ方向の端部が一部重なるように繰り返し嵌め込んでいき、外側壁５の両端間にわたって設置する。帯状のロール形状に加工した網材を用いて、外側壁５の両端間にわたって一体に設置してもよい。【００２４】  かかる方法によれば、床下の換気口１が家屋の外側壁５の全周にわたって形成されていても、個々の外側壁５ごとに、網材３を嵌め込むだけでよく、極めて簡単かつ短時間で施工できる。床下の換気口１に限らず、密封できないその他の換気口や通風口、あるいは密封困難な箇所にも適用できる。
【図面の簡単な説明】
【００２５】
【図１】従来工法で建築された木造家屋の床下の換気口１の正面図である。
【図２】基礎パッキン工法で建築された木造家屋の断側面図である。
【図３】換気口１周辺の斜視図である。
【図４】換気口１周辺の断面図である。
【符号の説明】
【００２６】１  換気口
２  基礎
３  網材
５  外側壁
６  土台
８  パッキン
１２  庇材
１３  張り出し端
１５  折り返し部
１６  段部
【図１】
2007330248.tif 000003
【図２】
2007330248.tif 000004
【図３】
2007330248.tif 000005
【図４】
2007330248.tif 000006